(57)【要約】【課題】ハンガーの組立作業を安定した環境で実施可能にし、組立作業の作業性を向上させること。【解決手段】ハンガー組立雇３０は、エレベーター装置のかごドアを保持するハンガーの組立作業に用いる。ハンガーは、かごドアの開閉駆動装置においてかごドアが開閉端位置にあることを検出する開閉端位置検出スイッチと接触する第１カムと、かごドアが閉じていることを検出するドア閉検出スイッチと接触する第２カムと、第１カム及び第２カムが取り付けられるブラケットとを有する。そして、ハンガー組立雇３０は、ハンガーが設置される設置面３１ａと、第１カムと第２カムの少なくとも一方と干渉する部分に逃がし穴３１ｂとを有する受け台３１を備える。【選択図】図５
2020117379.tif 000002
【特許請求の範囲】
【請求項１】
エレベーター装置のかごドアを保持するハンガーの組立作業に用いるハンガー組立雇であって、
前記ハンガーは、前記かごドアの開閉駆動装置において前記かごドアが開閉端位置にあることを検出する開閉端位置検出スイッチと接触する第１カムと、前記かごドアが閉じていることを検出するドア閉検出スイッチと接触する第２カムと、前記第１カム及び前記第２カムが取り付けられるブラケットとを有し、
前記ハンガーが設置される設置面と、前記第１カムと前記第２カムの少なくとも一方との干渉を避けるための逃がし穴とを有する受け台を備える
ことを特徴とするハンガー組立雇。
【請求項２】
前記ブラケットは、前記かごドア開閉駆動装置に設けられたベルトに接続されるベルト接続部と、前記第１カム及び前記第２カムが取付けられるカム取付け部を有し、
前記受け台に接続される位置決め部材を備え、
前記位置決め部材は、前記ベルト接続部の両側面に当接する複数の第１位置決めピンと、前記カム取付け部に当接する第２位置決めピンとを有する
ことを特徴とする請求項１に記載のハンガー組立雇。
【請求項３】
前記位置決め部材には、前記第１カムを磁力により引き付けて保持する第１カム用マグネットと、前記第２カムを磁力により引き付けて保持する第２カム用マグネットが取り付けられている
ことを特徴とする請求項２に記載のハンガー組立雇。
【請求項４】
前記第１カムは、前記開閉端位置検出スイッチに接触する接触面を有し、
前記位置決め部材は、前記第１カムの前記接触面が押し当てられる第１カム当接部を有する
ことを特徴とする請求項２に記載のハンガー組立雇。
【請求項５】
前記第２カムは、前記ドア閉検出スイッチに接触する接触面と、前記接触面に略直交する側面とを有し、
前記位置決め部材は、前記第２カムの前記側面が押し当てられる第２カム当接部を有する
ことを特徴とする請求項２に記載のハンガー組立雇。
【発明の詳細な説明】
【技術分野】
【０００１】
本発明は、ハンガー組立雇に関するものである。
【背景技術】
【０００２】
従来、ドア開閉駆動装置には、ドア開閉検出スイッチを動作させるカム及び、カムを固定する為のブラケットがハンガーに取付けられている。特許文献１には、かご扉が所定位置に達したことに応じて閉路する接点を有するゲートスイッチを備え、このゲートスイッチが所定位置で作動するかどうかを確認する閉扉確認装置が記載されている。
【０００３】
特許文献1に記載された閉扉確認装置では、ゲートスイッチの接点が所定位置で作動したことを報知する報知手段を設け、この報知手段が動作したかどうかを確認する。このとき、報知手段が動作しなければ、カムの取付け位置を調整する必要がある。
【先行技術文献】
【特許文献】
【０００４】
【特許文献１】特開２０００−１１８９２５号公報
【発明の概要】
【発明が解決しようとする課題】
【０００５】
しかしながら、ゲートスイッチを動作させるカムやブラケットは、ドア開閉駆動装置の本体組立工程において、ハンガー構成品として組み立てられる。従来の組立手法では、ドア開閉駆動装置のレール上で組立作業を行うことから、不安定な作業環境でハンガーのカム及びブラケットの取付けを実施しなければならない。
【０００６】
本発明の目的は、上記の問題点を考慮し、ハンガーの組立作業を安定した環境で実施可能にし、組立作業の作業性を向上させることにある。
【課題を解決するための手段】
【０００７】
上記課題を解決し、本発明の目的を達成するため、本発明のハンガー組立雇は、エレベーター装置のかごドアを保持するハンガーの組立作業に用いる。ハンガーは、かごドアの開閉駆動装置においてかごドアが開閉端位置にあることを検出する開閉端位置検出スイッチと接触する第１カムと、かごドアが閉じていることを検出するドア閉検出スイッチと接触する第２カムと、第１カム及び第２カムが取り付けられるブラケットとを有する。そして、ハンガー組立雇は、ハンガーが設置される設置面と、第１カムと第２カムの少なくとも一方との干渉を避けるための逃がし穴とを有する受け台を備える。
【発明の効果】
【０００８】
本発明によれば、ハンガー構成品の組立作業を安定した環境で実施可能にし、組立作業の作業性を向上させることができる。なお、上述した以外の課題、構成および効果は、以下の実施形態の説明により明らかにされる。
【図面の簡単な説明】
【０００９】
【図１】本発明の一実施形態に係るエレベーター装置を示す概略斜視図である。
【図２】図１に示すドア開閉駆動装置の構成を示す平面図である。
【図３】図２に示すハンガーの構成を示す平面図である。
【図４】図３に示すＡ−Ａ線に沿う断面図である。
【図５】本発明の一実施形態に係るハンガー組立雇を示す平面図である。
【図６】本発明の一実施形態に係るハンガーの組立時の状態を示す平面図である。
【発明を実施するための形態】
【００１０】
［エレベーター装置の全体構成］
以下、本発明の一実施例を図１〜図６に沿って説明する。まず、本発明の一実施例に係るエレベーター装置の全体構成について、図１を参照して説明する。
図１は、本発明の一実施形態に係るエレベーター装置１００を示す概略構成図である。
【００１１】
図１に示すように、エレベーター装置１００は、人や貨物が乗入れる乗りかご３と、乗りかご３との重量バランスを保つためのつり合い重り４、それらを吊上げ保持するロープ６と巻上機５並びに、乗りかごの移動方向の両側に沿ったガイドレール７を有している。このエレベーター装置１００は、巻上機５によってロープ６を巻上げることで、ガイドレール７に沿って乗りかご３を昇降させる。
【００１２】
さらに、このエレベーター装置１００の乗りかご３は、ドア開閉駆動装置１及びかごドア２を有しており、ドア開閉駆動装置１によって、かごドア２の開閉動作を行う。また、乗りかご３が昇降するための通路である昇降路における各階に相当する高さ位置には、各階に通じる乗り場ドア（図示を省略する）が設けられている。乗りかご３が各階に停止した際に、かごドア２及び乗り場ドアが開くことで、乗りかご３への人や貨物の乗り降りが行われる。
【００１３】
［ドア開閉駆動装置の構成］
次に、ドア開閉駆動装置１の構成について、図２を参照して説明する。
図２は、ドア開閉駆動装置１の構成を示す平面図である。
【００１４】
図２に示すように、ドア開閉駆動装置1は、フレーム９と、フレーム９に取り付けられたハンガーレール１１と、ハンガーレール１１に摺動可能に係合するハンガー１０とを有する。ハンガー１０は、かごドア２の上部を保持する。ハンガーレール１１は、ハンガー１０を、かごドア２の開閉方向へ案内する。
【００１５】
また、ドア開閉駆動装置1は、ハンガー１０をハンガーレール１１に沿って移動させる移動機構を有している。この移動機構は、フレーム９に取り付けられたドアモーター１２と、フレーム９に回転可能に支持されたプーリー１４と、ドアモーター１２の回転軸とプーリー１４に巻き掛けられたベルト１３から構成されている。ベルト１３は、ドアモーター１２の回転軸とプーリー１４により張力が維持されており、ドアモーター１２の動力は、プーリー１４に伝達される。
【００１６】
ベルト１３の直線部は、ハンガーレール１１と平行な方向に延びている。そして、ベルト１３の直線部には、ハンガー１０が接続されている。これにより、ベルト１３は、ドアモーター１２における回転軸の動力（回転）を、ハンガー１０の直線移動に変換し、ハンガー１０は、ハンガーレール１１に沿って移動する。
【００１７】
また、フレーム９には、クローズリミットスイッチ（以下ＣＬＳ）１５と、オープンリミットスイッチ（以下ＯＬＳ）１６と、ゲートスイッチ（以下ＧＳ）１７が取り付けられている。ＣＬＳ１５、ＯＬＳ１６、及びＧＳ１７は、ハンガー１０の構成品（後述する第１カム２４及び第２カム２５）によって作動され、ハンガー１０及びかごドア２の位置を検出する。
【００１８】
ＣＬＳ１５は、ハンガー１０の構成品によって作動されることにより、かごドア２が閉端位置にあることを検出する。ＯＬＳ１６は、ハンガー１０の構成品によって作動されることにより、かごドア２が開端位置にあることを検出する。これらＣＬＳ１５及びＯＬＳ１６は、本発明に係る開閉端位置検出スイッチの具体例を示す。ＧＳ１７は、ハンガー１０の構成品によって作動されることにより、かごドア２が閉じていることを検出する。このＧＳ１７は、本発明に係るドア閉検出スイッチの具体例を示す。
【００１９】
［ハンガーの構成］
次に、ハンガー１０の構成について、図３及び図４を参照して説明する。
図３は、ハンガー１０の構成を示す平面図である。図４は、図３に示すＡ−Ａ線に沿う断面図である。
【００２０】
図３及び図４に示すように、ハンガー１０は、かごドア２を保持するハンガー本体２１と、ハンガー本体２１に回転可能に取り付けられたハンガーローラー２２を有している。ハンガーローラー２２は、ハンガーレール１１（図２参照）上を回転する。また、ハンガー１０は、ハンガー本体２１に固定されたブラケット２３と、ブラケット２３に固定された第１カム２４及び第２カム２５を有している。
【００２１】
ブラケット２３は、ドアモーター１２の動力を伝達するベルト１３に接続される。ブラケット２３は、平面視で略Ｌ字状に形成されており、ハンガー本体２１に固定されるハンガー本体連結部２３Ａと、ベルト１３に接続されるベルト接続部２３Ｂとを有している。ハンガー本体連結部２３Ａは、本発明に係るカム取付け部の一具体例を示す。
【００２２】
カム２４，２５は、ＣＬＳ１５，ＯＬＳ１６，ＧＳ１７の接点を機械的接触によりＯＮ/ＯＦＦさせる。第１カム２４は、ＣＬＳ１５及びＯＬＳ１６に接触可能な位置に配置されており、ＣＬＳ１５及びＯＬＳ１６をＯＮ/ＯＦＦさせる。第２カム２５は、ＧＳ１７に接触可能な位置に配置されており、ＧＳ１７をＯＮ/ＯＦＦさせる。
【００２３】
また、ブラケット２３のハンガー本体連結部２３Ａには、カム２４，２５を取り付けるための取付け穴が設けられている。この取付け穴は、カム２４，２５の取付け位置を調整できる長穴（平行部を持ち、両端部が半円の穴）に形成されている。これは、製品（エレベーター装置１００）を納入後に、カム２４，２５の位置を調整するためである。
【００２４】
ここで、カム２４，２５の位置を調整する理由を説明する。製品（エレベーター装置１００）を納入後に、かごドア２の開閉を繰返すことによってベルト１３が磨耗し、ベルト１３に伸びが発生する。ベルト１３が伸びると、ベルト１３の張力が変化するため、カム２４，２５の位置が変位する。この場合は、カム２４，２５の位置をＣＬＳ１５，ＯＬＳ１６，ＧＳ１７が正常に作動する位置へ調整する必要がある。
【００２５】
従来、ハンガー１０の組立作業者は、目視にて長穴の中心にカム２４，２５を取付けている。そのため、カム２４，２５の取付け位置に誤差が生じることがあり、製品（エレベーター装置１００）を出荷する前の検査時に、カム２４，２５の取付け位置を再度調整する作業が発生してしまう。
【００２６】
また、ハンガー１０の組立作業では、ハンガー本体２１へブラケット２３を取り付けた後に、ブラケット２３へ第１カム２４及び第２カム２５を取り付けている。しかしながら、ハンガー１０の組立作業は、ドア開閉駆動装置１全体の組立工程内に含まれており、図２に示したハンガーレール１１にハンガー本体２１を乗せた状態（ハンガー本体２１が前後に傾いてしまう不安定な作業環境）で行われる。これは、図４に示すように、ブラケット２３に取り付けられる第２カム２５が、ハンガー本体２１の裏側へ突出してしまうことから、平面上での取付け作業が実施できないためである。
【００２７】
そこで、本実施形態では、ハンガー組立雇３０（図４参照）を設け、ハンガー１０の組立作業を安定した環境で実施可能にした。
【００２８】
［ハンガー組立雇の構成］
次に、ハンガー組立雇３０の構成について、図５を参照して説明する。
図５は、ハンガー組立雇３０を示す平面図である。
【００２９】
図５に示すように、ハンガー組立雇３０は、受け台３１と、受け台３１に接続された位置決め部材３２とを有している。受け台３１は、四角形の平板状に形成されており、ハンガー１０のハンガー本体２１が設置される設置面３１ａを有している。また、受け台３１は、ハンガー１０の第２カム２５との干渉を避けるための逃がし穴３１ｂを有している。
【００３０】
また、受け台３１の設置面３１ａと反対側の面には、４つの脚部３３が設けられている。４つの脚部３３は、受け台３１の四隅に配置されており、略円柱状に形成されている。４つの脚部３３の軸方向の長さ（高さ）は、ハンガー１０の第２カム２５が逃がし穴３１ｂから裏側へ突出する長さよりも長い（高い）。したがって、受け台３１を作業面に載置した場合に、ハンガー１０の第２カム２５が作業面に干渉しないようにすることができる。
【００３１】
位置決め部材３２は、上辺、下辺、左辺及び右辺を有する四角形の平板状に形成されており、受け台３１の設置面３１ａに固定されている。この位置決め部材３２は、受け台３１の設置面３１ａに接触する面と反対側の面であるブラケット設置面３２ａを有する。また、位置決め部材３２の厚みは、ハンガー本体２１（図４参照）の厚みと略等しい。そのため、ハンガー本体２１を受け台３１の設置面３１ａに設置すると、ハンガー本体２１のブラケット２３が取り付けられる面と、ブラケット設置面３２ａが、同じ高さに位置する。
【００３２】
位置決め部材３２のブラケット設置面３２ａには、第１位置決めピン３５Ａ，３５Ｂと、第２位置決めピン３５Ｃが設けられている。第１位置決めピン３５Ａ，３５Ｂは、ブラケット２３（図３参照）におけるベルト接続部２３Ｂの両側面（ベルト１３が駆動する方向に直交する両側面）にそれぞれ当接する。また、第２位置決めピン３５Ｃは、ハンガー本体連結部２３Ａの上端面に当接する。ハンガー本体連結部２３Ａの上端面は、ベルト接続部２３Ｂが連続する面である。
【００３３】
位置決め部材３２の下辺３２ｂには、第１カム当接部の一具体例を示す第１当接部３６と、第２カム当接部の一具体例を示す第２当接部３７が設けられている。第１当接部３６及び第２当接部３７は、位置決め部材３２の下辺３２ｂを切り欠くことにより形成されている。第１当接部３６には、第１カム２４におけるＣＬＳ１５及びＯＬＳ１６に接触する面が当接する。また、第２当接部３７には、第２カム２５におけるＧＳ１７に接触する面と略直交する側面が当接する。
【００３４】
また、位置決め部材３２におけるブラケット設置面３２ａと反対側の面には、第１カム用マグネット３８と、第２カム用マグネット３９が取り付けられている。第１カム用マグネット３８は、第１当接部３６に対向する位置に配置されており、磁力により第１カム２４を第１当接部３６へ引き付ける。
【００３５】
また、第２カム用マグネット３９は、第２当接部３７に対向する位置に配置されており、磁力により第２カム２５を第２当接部３７へ引き付ける。なお、第２カム用マグネット３９は、受け台３１に設けた逃がし穴３１ｂ内に挿入されるため、受け台３１と干渉しない。
【００３６】
［ハンガー組立雇の使用状態］
次に、ハンガー組立雇３０の使用状態について、図６を参照して説明する。
図６は、ハンガーの組立時の状態を示す平面図である。
【００３７】
図６に示すように、ハンガー１０を組み立てる場合は、まず、作業面にハンガー組立雇３０を載置する。次に、ハンガー組立雇３０における受け台３１の設置面３１ａにハンガー本体２１を設置する。続いて、ハンガー本体２１の上にブラケット２３を載せる。
【００３８】
このとき、ブラケット２３におけるベルト接続部２３Ｂの両側面がハンガー組立雇３０の第１位置決めピン３５Ａ，３５Ｂに当接する。これにより、ブラケット２３におけるベルト接続部２３Ｂの両側面に直交する方向への移動が係止される。また、ブラケット２３におけるハンガー本体連結部２３Ａの上端面が、第２位置決めピン３５Ｃに当接する。これにより、ブラケット２３におけるベルト接続部２３Ｂの両側面に平行な方向への移動が係止される。その結果、ブラケット２３がハンガー組立雇３０に対して位置決めされ、ハンガー本体２１を動かすことでハンガー本体２１とブラケット２３との位置合わせを容易に行うことができる。
【００３９】
ハンガー本体２１とブラケット２３との位置合わせをした後、ボルト（ねじ）を用いて、ハンガー本体２１にブラケット２３を取り付ける。次に、第１カム２４をブラケット２３における取り付け位置に配置する。このとき、受け台３１が４つの脚部３３を有するため、第１カム２４がハンガー本体２１の裏側へ突き出ても、第１カム２４が作業面に干渉しないようにすることができる。
【００４０】
また、第１カム２４をブラケット２３における取り付け位置に配置すると、第１カム２４が第１当接部３６に押し当てられる。これにより、第１カム２４のベルト接続部２３Ｂの両側面に平行な方向への移動が係止される。次に、ボルト（ねじ）を用いて第１カム２４をブラケット２３に仮止めし、その後、第１カム２４をブラケット２３に固定する（本締めする）。
【００４１】
このとき、第１カム用マグネット３８が第１カム２４を第１当接部３６へ引きつけて保持するため、第１カム２４を片手で抑える必要が無くなり、組立作業の作業性を向上させることができる。また、第１カム２４の位置を、ブラケット２３に設けた長穴の中心に容易に合わせることができ、製品を出荷する前の検査時における、第１カム２４の取付け位置の調整作業を削減することができる。
【００４２】
次に、第２カム２５をブラケット２３における取り付け位置に配置する。このとき、受け台３１が逃げ穴３１ｂを有するため、第２カム２５が受け台３１に干渉しないようにすることができる。また、受け台３１が４つの脚部３３を有するため、第２カム２５がハンガー本体２１の裏側へ突き出ても、第２カム２５が作業面に干渉しないようにすることができる。
【００４３】
また、第２カム２５をブラケット２３における取り付け位置に配置すると、第２カム２５が第２当接部３７に押し当てられる。これにより、第２カム２５のベルト接続部２３Ｂの両側面に直交する方向への移動が係止される。次に、ボルト（ねじ）を用いて第２カム２５をブラケット２３に仮止めし、その後、第２カム２５をブラケット２３に固定する（本締めする）。
【００４４】
このとき、第２カム用マグネット３９が第２カム２５を第２当接部３７へ引きつけて保持するため、第２カム２５を片手で抑える必要が無くなり、組立作業の作業性を向上させることができる。また、第２カム２５の位置を、ブラケット２３に設けた長穴の中心に容易に合わせることができ、製品を出荷する前の検査時における、第２カム２５の取付け位置の調整作業を削減することができる。第２カム２５をブラケット２３に固定すると、ハンガー１０が組み立てられる。
【００４５】
［まとめ］
上述した一実施形態に係るハンガー組立雇３０は、ハンガー１０が設置される設置面３１ａと、第２カム２５と干渉を避けるための逃がし穴３１ｂとを有する受け台３１を備える。これにより、受け台３１上でハンガー１０を組み立てることができる。したがって、図２に示したハンガーレール１１にハンガー本体２１を乗せた状態（ハンガー本体２１が前後に傾いてしまう不安定な作業環境）でハンガー１０を組み立てなくてもよく、ドア開閉駆動装置１全体の組立工程の前にハンガー１０を組み立てることができる。その結果、ハンガー１０の組立作業の作業性を向上させることができる。
【００４６】
上述した一実施形態に係るハンガー組立雇３０は、受け台３１に接続される位置決め部材３２を備える。そして、位置決め部材３２は、ブラケット２３におけるベルト接続部２３Ｂの両側面に当接する第１位置決めピン３５Ａ，３５Ｂと、ブラケット２３におけるハンガー本体連結部２３Ａ（カム取付け部）に当接する第２位置決めピン３５Ｃを有する。これにより、ブラケット２３を位置決め部材３２に対して位置決めすることができ、ハンガー１０の組立作業の作業性を向上させることができる。
【００４７】
上述した一実施形態に係るハンガー組立雇３０の位置決め部材３２には、第１カム２４を磁力により引き付けて保持する第１カム用マグネット３８と、第２カム２５を磁力により引き付けて保持する第２カム用マグネット３９が取り付けられている。これにより、第１カム２４及び第２カム２５を仮止めする際に、第１カム２４及び第２カム２５を片手で抑える必要が無くなり、組立作業の作業性を向上させることができる。また、第１カム２４及び第２カム２５の取付け位置の調整作業を削減することができる。
【００４８】
上述した一実施形態に係るハンガー組立雇３０の位置決め部材３２は、第１カム２４の接触面が押し当てられる第１当接部３６（第１カム当接部）を有する。これにより、第１カム２４におけるベルト接続部２３Ｂの両側面に平行な方向への移動が係止され、第１カム２４の取り付け作業を容易に行うことができる。
【００４９】
上述した一実施形態に係るハンガー組立雇３０の位置決め部材３２は、第２カム２５の側面が押し当てられる第２当接部３７（第２カム当接部）を有する。これにより、第２カム２５におけるベルト接続部２３Ｂの両側面に直交する方向への移動が係止され、第２カム２５の取り付け作業を容易に行うことができる。
【００５０】
以上、本発明について、実施形態に基づいて説明したが、本発明は上述の実施形態に記載した構成に限定されるものではなく、その趣旨を逸脱しない範囲において適宜その構成を変更することができるものである。また、上述した実施形態例は、本発明を分かりやすく説明するために詳細に説明したものであり、必ずしも説明した全ての構成を備えるものに限定されるものではない。
【００５１】
例えば、上述の一実施形態では、受け台３１が、第２カム２５との干渉を避けるための逃がし穴３１ｂを有するようにした。しかし、本発明に係る受け台としては、第１カム２４と干渉する大きさに設定してもよい。その場合の受け台には、第１カム２４との干渉を避けるための逃がし穴を設ける。すなわち、本発明に係る受け台としては、第１カムと第２カムの少なくとも一方との干渉を避けるための逃がし穴を有していればよい。
【００５２】
また、上述の一実施形態では、受け台３１に４つの脚部３３を設けた。しかし、本発明に係る受け台としては、作業面に安定して載置できれば３つの脚部を有するものであってもよく、また、５つ以上の脚部を有するものであってもよい。また、本発明に係る受け台としては、脚部を有するものに限定されず、例えば、第１カム２４及び第２カム２５が、上記の作業面と干渉しない程度の適当な厚みを有するものであってもよい。
【００５３】
また、本発明に係る第１位置決めピンとしては、２つ設けることに限定されず、ベルト接続部２３Ｂの両側面に当接するように配置すれば、３つ以上設けてもよい。また、本発明に係る第２位置決めピンとしては、ハンガー本体連結部２３Ａの上端面に当接するように配置すれば、２つ以上設けてもよい。
【符号の説明】
【００５４】
１…ドア開閉駆動装置、  ２…ドア、  ５…巻上機、  ６…ロープ、  ７…ガイドレール、  ９…フレーム、  １０…ハンガー、  １１…ハンガーレール、  １２…ドアモーター、  １３…ベルト、  １４…プーリー、  １５…クローズリミットスイッチ（ＣＬＳ）、  １６…オープンリミットスイッチ（ＯＬＳ）、  １７…ゲートスイッチ（ＧＳ）、  ２１…ハンガー本体、  ２２…ハンガーローラー、  ２３…ブラケット、  ２３Ａ…ハンガー本体連結部（カム取付け部）、  ２３Ｂ…ベルト接続部、  ２４…第１カム、  ２５…第２カム、  ３０…ハンガー組立雇、  ３１…受け台、  ３１ａ…設置面、  ３１ｂ…逃がし穴、  ３２…位置決め部材、  ３２ａ…ブラケット設置面、  ３２ｂ…下辺、  ３３…脚部、  ３５Ａ…第１位置決めピン、  ３５Ｃ…第２位置決めピン、  ３６…第１当接部（第１カム当接部）、  ３７…第２当接部（第２カム当接部）、  ３８…第１カム用マグネット、  ３９…第２カム用マグネット、  １００…エレベーター装置
【図１】
2020117379.tif 000003
【図２】
2020117379.tif 000004
【図３】
2020117379.tif 000005
【図４】
2020117379.tif 000006
【図５】
2020117379.tif 000007
【図６】
2020117379.tif 000008